(57)【要約】【課題】  干渉キャンセラを備えた装置で適応変調を行うと、干渉キャンセラは多段構成となっているため、最終段まで処理を行うと時間がかかる。【解決手段】  干渉キャンセラの各段にＳＩＲ測定部を設け、干渉キャンセラの各段のＳＩＲを通信の相手方に通知することにより、通信の相手方に干渉キャンセラの動作段数を決定させ、決定した動作段数を通知してもらうことにより、決定された動作段数で干渉キャンセラを動作させる。これにより、処理時間の短縮と使用電力の低減が図れ、また、処理時間の短縮により適応的な送信方式の通信がエラーなく行える。【選択図】        図１
2006165775.tif 000002
【特許請求の範囲】
【請求項１】
スペクトル拡散信号を受信する受信部と、前記受信部から出力された受信信号に含まれる干渉を除去し、各段の干渉を除去した信号のＳＩＲを測定する干渉キャンセラ部と、前記干渉キャンセラ部から出力された干渉を除去した信号を復号する復号部と、前記干渉キャンセラ部で測定した各段のＳＩＲ情報を無線相手局に通知するための制御信号を生成する制御信号生成部と、前記制御信号生成部で生成した制御信号を送信データと多重する送信信号生成部と、前記送信信号生成部で生成した制御信号を含む送信信号を送信する送信部とを備えたことを特徴とする無線基地局装置。
【請求項２】
前記干渉キャンセラ部は、入力信号を逆拡散し、チャネル推定値を乗算してＳＩＲを測定すると共に、チャネル推定値を乗算した信号の判定を行った後に再び再拡散を行って干渉レプリカを生成するＩＣＵ部と、前記入力信号から干渉レプリカを減算するための減算部とを１段以上有することを特徴とする請求項１に記載の無線基地局装置。
【請求項３】
前記干渉キャンセラ部は、入力信号に含まれる制御情報から指定された段数分干渉除去を行うことを特徴とする請求項１に記載の無線基地局装置。
【請求項４】
スペクトル拡散信号を受信し復調する受信復調部と、前記受信復調部から出力される受信復調信号を復号する復号部と、前記受信復調部から出力される制御信号に含まれている無線相手局の干渉キャンセラの各段のＳＩＲ情報と送信する信号の種類及び量に基づいて無線相手局における干渉キャンセラの動作段数を決定する送信方式制御部と、前記送信方式制御部で決定した干渉キャンセラの動作段数を含む送信信号を作成する送信信号作成部と、前記送信信号作成部で作成された送信信号を送信する送信部とを備えたことを特徴とする無線送受信機。
【請求項５】
前記送信方式制御部は、前記受信復調部からの制御信号に含まれている無線相手局からの干渉キャンセラの各段のＳＩＲ情報と送信するデータの種類及び量に基づいて無線相手局における変調方式、符号化率、拡散率、コード数、使用帯域又は符号化方法を決定することを特徴とする請求項４に記載の無線送受信機。
【請求項６】
請求項１〜３のいずれか１項に記載の無線基地局装置と、請求項４〜５のいずれか１項に記載の無線送受信機とを有し、前記無線基地局装置から干渉キャンセラ部で測定した各段のＳＩＲ情報を送信し、前記無線送受信機は前記干渉キャンセラの各段のＳＩＲ情報と送信する信号の種類及び量に基づいて無線基地局装置における干渉キャンセラの動作段数を送信することを特徴とする無線通信システム。
【発明の詳細な説明】
【技術分野】
【０００１】
本発明は、無線基地局装置及び無線送受信機、並びに無線通信システムに関し、特に、移動通信システム、構内無線通信システム、或いは無線ＬＡＮシステム等に用いられる無線通信装置の最適な変調方式等を選択する適応制御方法に関するものである。
【背景技術】
【０００２】
従来、スペクトル拡散信号による符号分割多元接続（ＤＳ／ＣＤＭＡ，Ｄｉｒｅｃｔ  Ｓｅｑｕｅｎｃｅ／Ｃｏｄｅ  Ｄｉｖｉｓｉｏｎ  Ｍｕｌｔｉｐｌｅ  Ａｃｃｅｓｓ）を行う無線システムにおいては、複数の信号が同時に同一の周波数帯域を使用して通信が行われるため、マルチパスや他ユーザの信号等によって各信号に割り当てられた符号間の相関により信号間の干渉が生じ、信号数が増えるに従って特性が劣化する。この特性劣化を抑えるために、干渉キャンセラが重要な技術となっている。
【０００３】
また、伝送路の状態はフェージングやシャドーイングにより時々刻々変化するが、伝送路の状態に応じて最適な変調方式や符号化率、拡散率、コード数、使用帯域、符号化方法等を選択して通信を行うことにより、伝送容量を増大させようとする適応変調方式が提案されている。これに関連する技術としては、例えば、特開２００１−２５１２４２号公報等がある（特許文献１）。
【０００４】
図８は従来例のシステムを示す。まず、基地局の受信部８１は、移動局から送信された信号を受信し、干渉キャンセラ部８２において受信部８１から出力された受信信号からそれに含まれる干渉を除去する。復号部８３は干渉キャンセラ部８２から出力される干渉を除去した信号を復号し、復号データを生成する。
【０００５】
ＳＩＲ測定部８４は干渉キャンセラ部８２で干渉除去した信号のＳＩＲを測定し、制御信号生成部８５においてＳＩＲ測定部８４で測定したＳＩＲ情報を通信の相手方に通知するための制御信号を生成する。送信信号生成部８６は制御信号生成部８５で生成した制御信号を送信データと多重し、送信部８７において送信信号生成部８６で生成した送信信号を送信する。
【０００６】
移動局の受信復調部９１は、基地局から送信された信号を受信後に復調し、復号部９２において受信復調部９１から出力される受信復調信号を復号する。制御信号取得部９３は、受信復調部９１から出力される制御信号を取得し、送信方式制御部９４において制御信号取得部９３で取得した制御信号に含まれるＳＩＲ情報から変調方式や符号化率、拡散率、コード数、使用帯域、符号化方法を決定する。送信信号作成部９５は、送信方式制御部９４で決定した変調方式や符号化率、拡散率、コード数、使用帯域、符号化方法で送信信号を作成し、送信部９６において送信信号作成部９５で作成された送信信号を送信する。
【特許文献１】特開２００１−２５１２４２号公報
【発明の開示】
【発明が解決しようとする課題】
【０００７】
従来技術の第１の問題点は、干渉キャンセラは多段構成となっているため、最終段まで処理を行うと時間がかかることである。即ち、早期に送受信したいデータも最終段まで処理するため、送受信に時間がかかってしまう。特にシリアル型の干渉キャンセラの場合には１００ｍ秒を超えてしまい、音声の通話がスムーズに行われなくなってしまう。更に、最終段のＳＩＲを得るのにも時間がかかるため、送信方式制御の制御が遅れてしまい、時間がかかる分伝送路状態が変化する可能性が高く、制御がうまく動作しないことがあった。
【０００８】
第２の問題点は、適応変調は最終段のＳＩＲに応じて送受信する最適な変調方式等を決定している。そのため、データ量が少ないにも拘わらず１フレームに多くのデータが伝送できる変調方式や符号化率、拡散率、コード数、使用帯域、符号化方法が選択されても、データを埋めるためにダミーデータを送信することになり無駄であるし、伝送路状態が変化してしまい、選択された送信方式で正しく通信できないこともあった。
【０００９】
本発明は、上記従来の問題に鑑みなされたもので、その目的は、処理時間を短縮できると共に、通信エラーを低減できる等性能を向上することが可能な無線基地局装置及び無線送受信機、無線通信システムを提供することにある。
【課題を解決するための手段】
【００１０】
本発明の無線基地局装置は、上記目的を達成するため、スペクトル拡散信号を受信する受信部と、前記受信部から出力された受信信号に含まれる干渉を除去し、各段の干渉を除去した信号のＳＩＲを測定する干渉キャンセラ部と、前記干渉キャンセラ部から出力された干渉を除去した信号を復号する復号部と、前記干渉キャンセラ部で測定した各段のＳＩＲ情報を無線相手局に通知するための制御信号を生成する制御信号生成部と、前記制御信号生成部で生成した制御信号を送信データと多重する送信信号生成部と、前記送信信号生成部で生成した制御信号を含む送信信号を送信する送信部とを備えたことを特徴とする。
【００１１】
また、本発明の無線送受信機は、スペクトル拡散信号を受信し復調する受信復調部と、前記受信復調部から出力される受信復調信号を復号する復号部と、前記受信復調部から出力される制御信号に含まれている無線相手局の干渉キャンセラの各段のＳＩＲ情報と送信する信号の種類及び量に基づいて無線相手局における干渉キャンセラの動作段数を決定する送信方式制御部と、前記送信方式制御部で決定した干渉キャンセラの動作段数を含む送信信号を作成する送信信号作成部と、前記送信信号作成部で作成された送信信号を送信する送信部とを備えたことを特徴とする。
【発明の効果】
【００１２】
本発明の第１の効果は、干渉除去使用段数を指示して必要な段数のみ干渉除去を行うことにより、処理時間の短縮と使用電力の削減が図れることである。また、処理時間の短縮により制御遅延が短縮され、適応的な送信方式での通信がよりエラー無く行うことが可能となる。
【００１３】
第２の効果は、相手方の受信ＳＩＲ情報の他に送信するデータの種類や量に応じて変調方式や符号化率、拡散率、コード数、使用帯域、符号化方法を決定することにより、ダミーデータは必要最小限となることである。更に、より確実に伝送できる送信方式が選択され、伝送エラーを減少できる。
【発明を実施するための最良の形態】
【００１４】
次に、発明の実施の形態について図面を参照して詳細に説明する。図１は本発明に係る無線通信システムの一実施形態の構成を示すブロック図である。このシステムは、ユーザ毎に移動局１００を備え、複数の移動局１００を無線回線を介して収容しうる基地局２００を備えている。
【００１５】
まず、基地局２００の受信部１１は、移動局１００から送信されたスペクトル拡散信号を受信し、制御信号取得部１２において受信部１１から出力される受信信号から干渉キャンセラの動作段数の指定、変調方式、符号化率、拡散率、コード数、使用帯域、符号化方法を含んだ制御信号を取得する。
【００１６】
干渉キャンセラ部１３は、受信部１１から出力された受信信号からその受信信号に含まれる干渉を除去し、各段の干渉を除去した信号のＳＩＲを測定する。干渉を除去する干渉キャンセラの段数は、制御信号取得部１２で取得した制御信号に含まれる干渉キャンセラの動作段数の指定に従う。
【００１７】
復号部１４は、干渉キャンセラ部１３から出力される干渉を除去した信号を復号し、復号データを生成する。
【００１８】
ＳＩＲ取得部１５は、干渉キャンセラ部１３で各段の干渉を除去した信号のＳＩＲを取得し、制御信号生成部１６においてＳＩＲ取得部１５で取得した干渉キャンセラ部の各段のＳＩＲ情報を通信の相手方に通知するための制御信号を生成する。送信信号生成部１７は、制御信号生成部１６で生成した制御送信を送信データと多重し、送信部１８において送信信号生成部１７で生成した送信信号を送信する。
【００１９】
移動局１００の受信復調部２１は、基地局２００から送信されたスペクトル拡散信号を受信後に復調し、復号部２２において受信復調部２１から出力される受信復調信号を復号する。
【００２０】
制御信号取得部２３は、受信復調部２１から出力される基地局２００の干渉キャンセラ部１３の各段のＳＩＲ情報を含んだ制御信号を取得し、送信方式制御部２４において制御信号取得部２３で取得した制御信号の基地局２００の干渉キャンセラ部の各段のＳＩＲ情報と送信したい信号の種類や量から基地局２００での干渉キャンセラ部の動作段数、変調方式や符号化率、拡散率、コード数、使用帯域、符号化方法を決定する。
【００２１】
送信信号作成部２５は、送信方式制御部２４で決定した変調方式や符号化率、拡散率、コード数、使用帯域、符号化方法で送信信号を作成し、送信部２６において送信信号作成部２５で作成された送信信号を干渉キャンセラ部の動作段数、変調方式や符号化率、拡散率、コード数、使用帯域、符号化方法の情報を含んだ制御信号と共に送信する。
【００２２】
次に、基地局２００に関して更に詳細に説明する。まず、基地局２００の受信部１１は、移動局１００から送信された信号を受信する。
【００２３】
制御信号取得部１２において受信部１１から出力される受信信号から干渉キャンセラの動作段数の指定、変調方式や符号化率、拡散率、コード数、使用帯域、符号化方法を含んだ制御信号を取得する。制御信号はデータ信号と別のチャネルで伝送したり、データ信号の中に時間多重したりする方法がある。
【００２４】
干渉キャンセラ部１３は、受信部１１から出力される受信信号から受信信号に含まれる干渉を除去し、各段の干渉を除去した信号のＳＩＲを測定する。
【００２５】
図２はユーザ毎に処理を行う複数の段で構成されるパラレル型干渉キャンセラの一例を示すブロック図である。図２において、受信部１１からの受信信号はユーザ毎のＩＣＵ部１３３に入力され、干渉レプリカの作成及びＳＩＲの測定を行う。干渉レプリカは次段のＩＣＵ部１３３及び切換付減算部１３２へ出力される。ＳＩＲの測定結果は、ＳＩＲ取得部１５へ出力される。
【００２６】
受信部１１からの受信信号は、遅延部１３１へも送られ、ＩＣＵ部１３３の処理時間だけ受信信号を遅延させる。切換付減算部１３２は受信信号から干渉レプリカを削除する。
【００２７】
干渉キャンセラの最終段の受信部１３４は、前段のＩＣＵ部１３３からの干渉レプリカと切換付減算部１３２からの干渉を除去した信号を入力として復調を行う。復調した信号は復号部１４へ出力する。
【００２８】
図３は１ユーザ分のＩＣＵ部１３３の一例を示すブロック図である。図３に示すようにＩＣＵ部１３３は加算部３１、逆拡散部３２、チャネル推定部３３、乗算部３４、ＲＡＫＥ合成部３５、判定部３６、乗算部３７、再拡散部３８、加算合成部３９、ＳＩＲ測定部４０から構成されている。
【００２９】
ＩＣＵ部１３３は、制御信号内の変調方式、符号化率、拡散率、コード数、使用帯域、符号化方法に基づいて処理を行う。
【００３０】
ＩＣＵ部１３３の１段目は受信信号を入力とし、２段目以降は切換付減算部１３２で干渉を除去した信号と前段のＩＣＵ部１３３からの干渉レプリカを入力として加算部３１で加算する。逆拡散部３２において加算部３１からの信号を逆拡散してシンボルレートのデータとする。逆拡散としてはマッチドフィルタを使用してチップデータを拡散符号により逆拡散する方法がある。
【００３１】
チャネル推定部３３は、逆拡散部３２からの逆拡散されたパイロットシンボルを使用してチャネル推定を行う。乗算部３４は、逆拡散部３２からのデータシンボルとチャネル推定部３３で求めたチャネル推定値の複素共役値を乗算する。加算部３１から乗算部３４までの処理はパス毎に行う。
【００３２】
これは、複数の遅延波に対応するものである。図３では、３パスの場合を示しているが、パス数は１以上である。ＲＡＫＥ合成部３５は、パス毎の乗算部３４からの出力データを最大比合成することによりＲＡＫＥ合成を行う。受信信号を逆拡散してＲＡＫＥ合成する方法以外にも、等化器により信号を等化する方法もある。ＲＡＫＥ合成部３５からのＲＡＫＥ合成した信号は、判定部３６とＳＩＲ測定部４０へ出力される。
【００３３】
判定部３６は、ＲＡＫＥ合成部３５において最大比合成された信号の仮判定を行う。乗算部３７は、判定部３６で仮判定された信号にチャネル推定部３３からのチャネル推定値を乗算してシンボルレプリカを作成し、再拡散部３８は乗算部３７からのシンボルレプリカに再拡散処理を行うものであり、パス毎に行う。加算合成部３９は、パス毎の再拡散部３８からの信号を加算合成して干渉レプリカを作成する。図３では判定をＲＡＫＥ合成後に実施しているが、ＲＡＫＥ合成後にＦＥＣを行い、その後に行う方法もある。
【００３４】
ＳＩＲ測定部４０は、ＲＡＫＥ合成部３５からのＲＡＫＥ合成された信号を用いてＳＩＲを求める。ＲＡＫＥ合成された信号の平均を２乗したものを受信電力、ＲＡＫＥ合成された信号の標準偏差を２乗したものを干渉電力として、受信電力を干渉電力で除することによりＳＩＲを求める。この他にも、干渉電力の計算としては、切換付減算部１３２からの干渉を除去した信号を用いる方法もある。
【００３５】
図４は１ユーザ分の切換付減算部１３２の詳細なブロック図を示す。図４に示すように切換付減算部１３２は加算部４１、減算部４２、スイッチ４３から構成されている。
【００３６】
遅延部１３１から入力される信号は、スイッチ４３によりスルーもしくは干渉レプリカの削除を行う。これは、干渉キャンセラ部の動作段数を超えるキャンセラ部分の動作をさせないためである。加算部４１は、各ユーザの干渉レプリカを加算合成する。減算部４２は、遅延部１３１から入力される信号から全ユーザの干渉レプリカを減じる。
【００３７】
図５は１ユーザ分の受信部１３４の詳細なブロック図を示す。図５に示すように受信部１３４は加算部５１、逆拡散部５２、チャネル推定部５３、乗算部５４、ＲＡＫＥ合成部５５、ＳＩＲ測定部５６から構成されている。
【００３８】
受信部１３４は、制御信号内の変調方式、符号化率、拡散率、コード数、使用帯域、符号化方法に基づいて処理を行う。
【００３９】
切換付減算部１３２で干渉を除去した信号と前段のＩＣＵ部１３３からの干渉レプリカを入力とし、加算部５１で加算する。逆拡散部５２において加算部５１からの信号を逆拡散してシンボルレートのデータとする。チャネル推定部５３は、逆拡散部５２からの逆拡散されたパイロットシンボルを使用してチャネル推定を行う。
【００４０】
乗算部５４は、逆拡散部５２からのデータシンボルとチャネル推定部５３で求めたチャネル推定値の複素共役値を乗算する。加算部５１から乗算部５４までの処理はパス毎に行う。ＲＡＫＥ合成部５５は、パス毎の乗算部５４からの出力データを最大比合成することによりＲＡＫＥ合成を行う。ＳＩＲ測定部５６は、ＲＡＫＥ合成部５５からのＲＡＫＥ合成された信号を用いてＳＩＲを求める。
【００４１】
なお、図２ではユーザ毎に干渉除去を行う干渉キャンセラを示したが、本発明は、マルチパスやその他の信号を除去する干渉キャンセラでも使用できる。また、図２ではパラレル型の干渉キャンセラを示したが、シリアル型の干渉キャンセラでも各段でＳＩＲを測定することにより同様に使用できる。
【００４２】
復号部１４は、干渉キャンセラ部１３から出力される信号を復号し、復号データを生成する。
【００４３】
ＳＩＲ取得部１５は、干渉キャンセラ部１３で各段の干渉を除去した信号のＳＩＲを取得し、制御信号生成部１６においてＳＩＲ取得部１５で取得した干渉キャンセラの各段のＳＩＲ情報を通信の相手方に通知するための制御信号を生成する。制御信号の例として、８ビット・Ｑ３フォーマットで１段のＳＩＲを示し、４段構成の場合には、３２ビットを使用する。送信信号生成部１７は、制御信号生成部１６で生成した制御送信を送信データと多重する。多重方法としては、時間多重や周波数多重、コード多重等の方法がある。送信部１８において送信信号生成部１７で生成した送信信号を送信する。
【００４４】
次に、移動局１００に関して更に詳細に説明する。移動局１００の受信復調部２１は、基地局２００から送信された信号を受信後に復調し、復号部２２において受信復調部２１から出力される受信復調信号を復号する。
【００４５】
制御信号取得部２３は、受信復調部２１から出力される基地局２００の干渉キャンセラ部の各段のＳＩＲ情報を含んだ制御信号を取得する。送信方式制御部２４において、制御信号取得部２３で取得した制御信号の基地局２００の干渉キャンセラ部の各段のＳＩＲ情報と送信したい信号の種類や量から基地局２００での干渉キャンセラ部の動作段数、変調方式や符号化率、拡散率、コード数、使用帯域、符号化方法を決定する。基地局２００の干渉キャンセラ部の最大動作段数は、通信開始時等に予め通知する。
【００４６】
変調方式としては、ＱＰＳＫ、１６ＱＡＭ、６４ＱＡＭ、８ＰＳＫ等が考えられる。符号化率としては、１／３、１／２等が考えられる。拡散率としては、１，２、４、８、１６等が考えられる。コード数としては拡散率以下の正整数が考えられる。使用帯域としては、１、２等が考えられる。符号化方法としては、畳み込みやターボ等が考えられる。これらを組み合わせた送信方法に応じて通信の相手方がエラーフリーで受信できるＳＩＲの値は、事前に測定して、若しくは適宜通信の相手方のエラー情報を入手して更新することにより情報を取得できる。また、送信方法により１フレームに送信できるデータビット数は一意に決定できる。
【００４７】
取得した制御信号の基地局２００の干渉キャンセラ部の各段のＳＩＲ情報と送信したい信号の種類や量から基地局２００での干渉キャンセラ部の動作段数、変調方式や符号化率、拡散率、コード数、使用帯域、符号化方法を決定する方法を図６に示す。一例として、音声等の双方向に通信を行って遅れを少なくしたいデータではなくて、遅れは気にしない長さが１４００のメール文の場合を考える。
【００４８】
図７は干渉キャンセラ部の各段の段数が４段である基地局２００から送信されてきた干渉キャンセラ各段のＳＩＲの値及び送信方式の所用ＳＩＲの一例を示す。
【００４９】
まず、データの種類から干渉キャンセラ部の動作段数を仮決定する（図６のステップ１０１）。この場合、遅れを少なくしたいデータでは、干渉キャンセラ部の動作段数を少なくし、遅れが多くても構わないデータに対しては、干渉キャンセラ部の動作段数を多くする。この例では、遅れは問題にならないので、干渉キャンセラ部の動作段数を４と仮決定する。
【００５０】
次に、仮決定した干渉キャンセラ部の動作段数のＳＩＲを満たす送信方式の中から送信したいデータの量を基に送信方式を決定する（ステップ１０２）。仮決定した干渉キャンセラ部の動作段数のＳＩＲを満たす送信方式の中に送信したいデータの量を超える情報ビットを送信できる送信方式がある場合には、送信できる情報ビットが送信したいデータの量を超え、最も送信したいデータの量に近い送信方式を選択する。
【００５１】
仮決定した干渉キャンセラ部の動作段数のＳＩＲを満たす送信方式の中に送信したいデータの量を超える情報ビットを送信できる送信方式がない場合には、仮決定した干渉キャンセラ部の動作段数のＳＩＲを満たす送信方式の中から送信できる情報ビットが最も多い送信方式を選択する。この例では、図７に示すように仮決定した干渉キャンセラ部の動作段数のＳＩＲ９．５を満たす送信方式はＡ、Ｂ、Ｃであり、データ量が１４００なので情報ビットが１４００以上で１４００に最も近い送信方式Ｂを選択する。
【００５２】
最後に、選択した送信方式の所用ＳＩＲを満たす干渉キャンセラ部の動作段数の中から最小の動作段数を選択して、干渉キャンセラ部の動作段数を本決定する（ステップ１０３）。送信方式Ｂの所用ＳＩＲは７．０であるので、ＳＩＲが７．０以上になる干渉キャンセラ部の動作段数である２と決定する。
【００５３】
実際には、干渉キャンセラ部の各段のＳＩＲは変化するため、干渉キャンセラ部の各段のＳＩＲの値から定数を減算した値を使用しても良い。また、干渉キャンセラに時間がかかるため、最初の段はすぐにＳＩＲが出るが、後の段のＳＩＲが出るのが遅れ、現在のＳＩＲは変化している可能性があるため、段数により定数を変化（段数が多いほど大きくする）させても良い。更に、通知される干渉キャンセラ各段のＳＩＲの時間的変化から現在のＳＩＲを推定しても良い。その上、最後の干渉キャンセラの動作段数の本決定は行わずに、最初で仮決定した干渉キャンセラの動作段数を使用しても良い。
【００５４】
なお、図６の例では、先に、データの種類から干渉キャンセラの動作段数を仮決定し、次に、データの量から送信方式を決定し、最後に、決定した送信方式の所用ＳＩＲから干渉キャンセラの動作段数を本決定したが、先に、データの量から送信方式を仮決定し、次に、データの種類から干渉キャンセラの動作段数を仮決定し、最後に、決定した干渉キャンセラの動作段数のＳＩＲから送信方式を決定しても良い。
【００５５】
この場合には、まず、送信したいデータの量を基に送信方式を仮決定する。具体的には、送信したいデータの量を超える情報ビットを送信できる送信方式の中から、最も送信したいデータの量に近い送信方式を選択して、送信方式を仮決定する。次に、データの種類から干渉キャンセラの動作段数を決定する。具体的には、遅れを少なくしたいデータでは、干渉キャンセラの動作段数を少なくし、遅れが多くても構わないデータに対しては、干渉キャンセラの動作段数を多くする。
【００５６】
最後に、決定した干渉キャンセラの動作段数のＳＩＲから送信方式を本決定する。具体的には、決定した干渉キャンセラの動作段数のＳＩＲが仮決定した送信方式の所用ＳＩＲを満たさない場合には、各送信方式の所用ＳＩＲが決定した干渉キャンセラの動作段数のＳＩＲ未満であるが、最も決定した干渉キャンセラの動作段数のＳＩＲに近い送信方式を選択する。
【００５７】
送信信号作成部２５は、送信方式制御部２４で決定した変調方式や符号化率、拡散率、コード数、使用帯域、符号化方法で送信信号を作成し、送信部２６において送信信号作成部２５で作成された送信信号を干渉キャンセラ部の動作段数、変調方式や符号化率、拡散率、コード数、使用帯域、符号化方法の情報を含んだ制御信号と共に送信する。
【図面の簡単な説明】
【００５８】
【図１】本発明の一実施形態の構成を示すブロック図である。
【図２】図１の干渉キャンセラ部の一例を示すブロック図である。
【図３】図２のＩＣＵ部の一例を示すブロック図である。
【図４】図２の切換付減算部の一例を示すブロック図である。
【図５】図２の受信部の一例を示すブロック図である。
【図６】図１の送信方式制御部における干渉キャンセラ部の使用段数・送信方式の決定方法を説明するためのフローチャートである。
【図７】干渉キャンセラ部の各段のＳＩＲ・送信方式の所用ＳＩＲの一例を示す図である。
【図８】従来例の無線システムを示すブロック図である。
【符号の説明】
【００５９】
１１  受信部
１２  制御信号取得部
１３  干渉キャンセラ部
１４  復号部
１５  ＳＩＲ取得部
１６  制御信号取得部
１７  送信信号生成部
１８  送信部
２１  受信復調部
２２  復号部
２３  制御信号取得部
２４  送信方式制御部
２５  送信信号作成部
２６  送信部
３１  加算部
３２  逆拡散部
３３  チャネル推定部
３４  乗算部
３５  ＲＡＫＥ合成部
３６  判定部
３７  乗算部
３８  再拡散部
３９  加算合成部
４０  ＳＩＲ測定部
４１  加算部
４２  減算部
４３  スイッチ
５１  加算部
５２  逆拡散部
５３  チャネル推定部
５４  乗算部
５５  ＲＡＫＥ合成部
５６  ＳＩＲ測定部
１００  移動局
１３１  遅延部
１３２  切換付減算部
１３３  ＩＣＵ部
１３４  受信部
２００  基地局
【図１】
2006165775.tif 000003
【図２】
2006165775.tif 000004
【図３】
2006165775.tif 000005
【図４】
2006165775.tif 000006
【図５】
2006165775.tif 000007
【図６】
2006165775.tif 000008
【図７】
2006165775.tif 000009
【図８】
2006165775.tif 000010